【手続補正書】
【提出日】平成16年12月27日(2004.12.27)
【手続補正１】
【補正対象書類名】明細書
【補正対象項目名】００５５
【補正方法】変更
【補正の内容】
【００５５】
以上のように、ＡＶ多重フォーマットのファイルは、ＭＸＦの規格に準拠したファイルであり、ＭＸＦの規格に準拠したファイルボディ部には、ビデオデータとオーディデータが、年輪長単位で配置されている。さらに、ＡＶ多重フォーマットのファイルフッタ部の後には、ＭＸＦの規格に準拠したファイルボディ部に年輪長単位で配置されたビデオデータとオーディオデータを、ＱＴで再生、編集するために必要な情報が配置されている。これにより、映像記録装置１は、ＡＶ多重フォーマットのファイルを、送信、光ディスク２への記録、または、リアルタイム送信することによって、編集装置３および６だけでなく、汎用のＰＣ４および７とも互換性を保持することができる。
【手続補正２】
【補正対象書類名】明細書
【補正対象項目名】００７８
【補正方法】変更
【補正の内容】
【００７８】
次に、図５は、ＡＶ多重フォーマットの他の例を示している。なお、図５の例において、上段は、図４を参照して上述したＭＸＦの規格に準拠した編集装置３および６から認識されるＡＶ多重フォーマットのファイル（以下、ＭＸＦファイルと称する）の例を示しており、下段は、ＱＴを有するＰＣ４および７から認識されるＡＶ多重フォーマットのファイル（以下、ＱＴファイルと称する）の例を示している。すなわち、ＡＶ多重フォーマットは、ＱＴファイルの構造とＭＸＦファイルの構造の両方を有するように構成されている。
【手続補正３】
【補正対象書類名】明細書
【補正対象項目名】００８５
【補正方法】変更
【補正の内容】
【００８５】
したがって、図５の例においては、先頭のムービデータアトムのmdatヘッダは、先頭のムービデータアトムのサイズとタイプ情報により構成され、ＭＸＦのファイルヘッダ部のランインに記述されている。先頭のムービデータアトムは、ＭＸＦのファイルヘッダ部のヘッダパーティションパックおよびヘッダメタデータを格納するように構成されている。先頭から２番目以降のムービデータアトムのmdatヘッダは、対応するムービデータアトムのサイズとタイプ情報により構成されている。２番目以降のムービデータアトムは、ＭＸＦのファイルボディ部の年輪長の各エッセンスコンテナをそれぞれ格納するように構成される。すなわち、ムービデータアトムも、エッセンスコンテナに対応した年輪長単位のＡＶデータを管理する。moovヘッダは、対応するムービアトムのサイズとタイプ情報により構成され、ファイルフッタ部の一部に記述されている。ムービアトムは、ムービデータアトムに記録されたＡＶデータを読み出すための情報であるサンプルテーブルなどの固定情報により構成され、ＭＸＦのファイルフッタ部の一部とフィラーに記述されている。
【手続補正４】
【補正対象書類名】明細書
【補正対象項目名】００８７
【補正方法】変更
【補正の内容】
【００８７】
以上のような構成にすることで、ＡＶ多重フォーマットのファイルは、ＭＸＦの規格に準拠した編集装置３および６でも、ＱＴを有するＰＣ４および７でも認識され、ファイルボディ部に配置されたオーディオデータとビデオデータが読み出される。
【手続補正５】
【補正対象書類名】明細書
【補正対象項目名】００８９
【補正方法】変更
【補正の内容】
【００８９】
また、ＱＴのソフトウェアを有するＰＣ４および７は、まず、ムービアトムを読み出し、ムービアトムに記述された情報（後述するサンプルテーブルなど）に基づいて、ムービデータアトムに記録されているチャンク（オーディオデータまたはビデオデータ）を読み出すことができる。
【手続補正６】
【補正対象書類名】明細書
【補正対象項目名】００９０
【補正方法】変更
【補正の内容】
【００９０】
以上のように、映像記録装置１、ＭＸＦの規格に準拠した編集装置３および６、並びに、ＱＴを有するＰＣ４および７間においては、ＡＶ多重フォーマットのファイルを用いて、ファイル交換を行うことができる。
【手続補正７】
【補正対象書類名】明細書
【補正対象項目名】００９７
【補正方法】変更
【補正の内容】
【００９７】
一方、下段に示されるように、ＱＴファイルの構造において、ＡＶ多重フォーマットのファイルは、ＭＸＦのファイルヘッダ部に対応するムービデータアトム５４、ｎ個のエッセンスコンテナにそれぞれ対応するムービデータアトム５５−１乃至５５−ｎ、およびムービアトム５６により構成されている。ムービデータアトム５４は、ＭＸＦファイルの先頭からボディパーティションパック部５２−１のＫＬまでの範囲により構成され、ムービデータアトム５４のmdatヘッダは、ファイルヘッダ部のランインに記述される。ムービデータアトム５５−１は、ボディパーティションパック部５２−１のフィラーからボディパーティションパック部５２−２のＫＬまでの範囲により構成され、ムービデータアトム５５−１のmdatヘッダは、ボディパーティションパック部５２−１のフィラーの先頭に記述される。
【手続補正８】
【補正対象書類名】明細書
【補正対象項目名】０１００
【補正方法】変更
【補正の内容】
【０１００】
ここで、映像記録装置１においては、ファイルヘッダ部は、予め６４ＫＢと設定されており、ボディパーティションパック部５２−１のボディパーティションパックおよびＫＬが固定長αであるので、ムービデータアトム５４で管理されるデータのサイズは、６４ＫＢ＋αである。また、年輪データ５１−１乃至５１−ｎは、それぞれ年輪長単位で構成されている。したがって、ムービデータアトム５５−１乃至５５−ｎで管理されるデータのサイズも、年輪長単位（６４ＫＢ×８）とされる。なお、いまの場合、年輪長単位は、２秒間であり、６４ＫＢ×８（６４ＫＢ×６ＧＯＰ（ＮＴＳＣの場合）＋６４ＫＢ×２オーディオ）である。
【手続補正９】
【補正対象書類名】明細書
【補正対象項目名】０１０４
【補正方法】変更
【補正の内容】
【０１０４】
図７は、図６のムービアトム５６の構成例を示している。図７の例において、図中上部がファイルの先頭を示している。なお、いまの場合、ムービアトム５６は、階層１乃至８まで階層化されており、図中左側が最上位の階層１とされる。また、図中右側の「Ｖ」は、後述するトラックアトムが対象としているメディアがビデオデータの場合（すなわち、ビデオデータのトラックアトム（ビデオトラックアトム）である場合）のみ記述されるアトムであることを示し、「Ａ」は、トラックアトムが対象としているメディアがオーディオデータの場合（すなわち、オーディオデータのトラックアトム（オーディオトラックアトム）である場合）のみ記述されるアトムであることを示している。
【手続補正１０】
【補正対象書類名】明細書
【補正対象項目名】０１４０
【補正方法】変更
【補正の内容】
【０１４０】
一方、ＱＴにおいては、このように構成されたオーディオデータおよびビデオデータを、１つのチャンクとして定義する。したがって、ファイル生成部２２は、ＫＬＶ構造のキー（Ｋ）と、レングス（Ｌ）を無視して、サウンドアイテム１、サウンドアイテム２、サウンドアイテム３、サウンドアイテム４、およびピクチャアイテムをそれぞれチャンクと定義し、サウンドアイテム１の先頭位置ＡＣ１のオフセット値、サウンドアイテム２の先頭位置ＡＣ２のオフセット値、サウンドアイテム３の先頭位置ＡＣ３のオフセット値、サウンドアイテム４の先頭位置ＡＣ４のオフセット値、ピクチャアイテムの先頭位置ＶＣのオフセット値をそれぞれ求めることにより、ファイルフッタ部の後のムービアトムのサンプルテーブルを生成する。これにより、ＱＴを有するＰＣ４および７は、ファイルフッタ部のムービアトムに基づいて、チャンクとしてのオーディオデータおよびビデオデータを読み出すことができる。すなわち、ＱＴのムービアトムにおいては、オーディオデータおよびビデオデータは、格納されているムービデータアトムに拠らす、ファイルの先頭からのオフセット値により管理されている。
【手続補正１１】
【補正対象書類名】明細書
【補正対象項目名】０１５３
【補正方法】変更
【補正の内容】
【０１５３】
ステップＳ３において、ファイル生成部２２は、取得した初期パラメータ情報に基づいて、送信用ファイルヘッダ部を生成する。具体的には、送信用ファイルヘッダ部は、先頭のランインに、ムービデータアトム５４のサイズが記述されたmdatヘッダが配置され、また、図４を参照して上述したように、メタデータにおいて、記録長(duration)などの実際に記録が終了しなければ取得できない情報には、ダミーデータとして、絶対に取りえない代表値（例えば、−１や０など）が記述されて、生成される。ファイル生成部２２は、生成された送信用ファイルヘッダ部を、メモリ３３に記憶し、ステップＳ４に進む。ファイル生成部２２は、ステップＳ４において、通信部２１を制御し、生成された送信用ファイルヘッダ部を、ネットワーク５を介して、編集装置６に送信し、ステップＳ５に進む。
【手続補正１２】
【補正対象書類名】明細書
【補正対象項目名】０１７０
【補正方法】変更
【補正の内容】
【０１７０】
以上のように、ファイルボディ部が、予め設定された１年輪長のエッセンスコンテナに分けて生成されるので、各ムービデータアトムのサイズが取得できる。これにより、被写体を撮影し、オンザフライで編集装置６やＰＣ７に送信しても、ＱＴのファイル構造が維持される。したがって、ＱＴを有するＰＣ７では、オンザフライで送信されたＡＶ多重フォーマットのファイルを受信し、ＱＴを用いて、再生することができる。すなわち、ＰＣ７は、ＡＶ多重フォーマットのファイルの受信が完了すると、ＡＶ多重フォーマットのファイルのムービアトムを読み出し、ムービアトムの各テーブル情報に基づいて、各エッセンスコンテナのチャンクのオフセット値を求め、求められたオフセット値から、各エッセンスコンテナのチャンクに記述されているＡＶデータを再生することができる。
【手続補正１３】
【補正対象書類名】明細書
【補正対象項目名】０１７３
【補正方法】変更
【補正の内容】
【０１７３】
すなわち、映像記録装置１、ＭＸＦの規格に準拠した編集装置３および６、並びに、ＱＴを有するＰＣ４および７間においては、ＡＶ多重フォーマットのファイルを用いて、ファイル交換を行うことができる。
【手続補正１４】
【補正対象書類名】明細書
【補正対象項目名】０１８９
【補正方法】変更
【補正の内容】
【０１８９】
ステップＳ１０１において、映像記録装置１のファイル生成部２２は、ビデオデータとオーディオデータを用いて、ＡＶ多重フォーマットのファイルを生成し、ドライブ２３を制御し、光ディスク２に記録させる。また同時に、ファイル生成部２２は、通信部２１を制御し、生成されたＡＶ多重フォーマットのファイルを、例えば、通信衛星１０１を介して、編集装置１０３に送信し、ステップＳ１０２に進む。
【手続補正１５】
【補正対象書類名】明細書
【補正対象項目名】０１９２
【補正方法】変更
【補正の内容】
【０１９２】
映像記録装置１の通信部２１は、ステップＳ１０２において、編集装置１０３よりエディットリストを受信し、ステップＳ１０３に進み、受信したエディットリストを、光ディスク２に記録する。
【手続補正１６】
【補正対象書類名】明細書
【補正対象項目名】０２０８
【補正方法】変更
【補正の内容】
【０２０８】
【図１】本発明を適用したＡＶネットワークシステムの構成例を示す図である。
【図２】図１の映像記録装置の構成例を示すブロック図である。
【図３】図１の光ディスクに記録されたデータを説明する図である。
【図４】図１のＡＶネットワークシステムで用いられるＡＶ多重フォーマットのファイルの構成例を示す図である。
【図５】図４のＡＶ多重フォーマットのファイルの他の構成例を示す図である。
【図６】図４のＡＶ多重フォーマットのファイルのさらに他の構成例を示す図である。
【図７】図６のムービアトムの構成例を示す図である。
【図８】図７の時間サンプルアトムの構成例を示す図である。
【図９】図７の同期アトムの構成例を示す図である。
【図１０】図７のサンプルチャンクアトムの構成例を示す図である。
【図１１】図７のサンプルサイズアトムの構成例を示す図である。
【図１２】図７のチャンクオフセットアトムの構成例を示す図である。
【図１３】図５のＡＶ多重フォーマットのファイルボディ部の構成例を示す図である。
【図１４】図１３のサウンドアイテムの構成例を示す図である。
【図１５】図５のＡＶ多重フォーマットのファイルボディ部の他の構成例を示す図である。
【図１６】図１３のピクチャアイテムの構成例を示す図である。
【図１７】図１の映像記録装置のＡＶ多重フォーマットのファイルの生成処理を説明するフローチャートである。
【図１８】図１７のステップＳ５のファイルボディ部の生成処理を説明するフローチャートである。
【図１９】図１７のステップＳ６のヘッダおよびフッタの生成処理を説明するフローチャートである。
【図２０】本発明のＡＶネットワークシステムの他の構成例を示す図である。
【図２１】図２０のＡＶネットワークシステムの処理の例を説明するフローチャートである。
【図２２】図２０のＡＶネットワークシステムの処理の他の例を説明するフローチャートである。